(57)【要約】【課題】デジタルカメラにおいて、表示画面の大画面化とキーボード操作使用による機能拡大とを同時に実現すること。【解決手段】本体１０背面に設けられた液晶１７と、上記液晶１７を覆うように開閉自在に設けられた蓋１４と、上記蓋１４の閉状態時に上記液晶１７の表示画面の一部を観察可能なように、上記蓋１４に設けられた窓１６と、上記蓋１４の上記本体１０側の面に配されたキーボード１８と、上記蓋１４の開閉状態を検出する検出スイッチと、上記検出スイッチにより上記蓋１４の開状態が検出された場合は上記液晶１７の表示画面の全てを表示領域として表示制御し、上記検出スイッチにより上記蓋１４の閉状態が検出された場合は上記蓋１４に設けられた窓１６の大きさに合わせて上記液晶１７の表示画面における表示領域を表示制御するＣＰＵ２９と、を備える。【選択図】      図１
2006186607.tif 000002
【特許請求の範囲】
【請求項１】
本体背面に設けられた表示手段と、
上記表示手段を覆うように開閉自在に設けられた蓋と、
上記蓋の閉状態時に上記表示手段の表示画面の一部を観察可能なように、上記蓋に設けられた窓と、
上記蓋の上記本体側の面に配されたキーボードと、
上記蓋の開閉状態を検出する検出手段と、
上記検出手段により上記蓋の開状態が検出された場合は上記表示手段の表示画面の全てを表示領域として表示制御し、上記検出手段により上記蓋の閉状態が検出された場合は上記蓋に設けられた窓の大きさに合わせて上記表示手段の表示画面における表示領域を表示制御する表示制御手段と、
を具備することを特徴とするデジタルカメラ。
【請求項２】
上記表示手段に表示する画像を編集する画像編集手段を更に具備し、
上記キーボードには、上記画像編集手段での画像編集に使用するためのキーが配置されていることを特徴とする請求項１に記載のデジタルカメラ。
【請求項３】
上記検出手段により上記蓋の開状態が検出された場合には、画像編集モードを自動設定して、上記画像編集手段及びキーボードによる画像編集を可能とするモード設定手段を更に具備することを特徴とする請求項２に記載のデジタルカメラ。
【請求項４】
上記表示手段の表示画面に重ねて配されたタッチパネルを更に具備することを特徴とする請求項１に記載のデジタルカメラ。
【請求項５】
上記蓋は、上記本体から着脱自在に構成され、上記本体とに対し無線接続する無線通信手段を内蔵することを特徴とする請求項１に記載のデジタルカメラ。
【請求項６】
上記窓の大きさに合わせた表示領域を示す領域情報を記憶する記憶手段を更に具備し、
上記表示制御手段は、上記記憶手段に記憶された領域情報に基づいて表示制御することを特徴とする請求項１に記載のデジタルカメラ。
【請求項７】
上記蓋の上記キーボードが配された面とは反対側の面には、少なくとも撮影のためのモードキー、表示キー、及びメニューキーを含む、当該デジタルカメラの制御に必要なキーが設けられ、
上記キーボードには、少なくとも画像編集に使用するためのキーが配置されていることを特徴とする請求項１に記載のデジタルカメラ。
【請求項８】
上記表示手段は、画像を表示するための液晶表示装置と、該液晶表示装置を照明するためのバックライトとを含み、
上記表示制御手段は、上記蓋の開閉状態に応じた表示領域に対応させて、上記バックライトの点灯領域を制御することを特徴とする請求項１に記載のデジタルカメラ。
【請求項９】
上記表示手段の表示画面は、上記本体背面のほぼ全域にわたる大きさを有することを特徴とする請求項１に記載のデジタルカメラ。
【発明の詳細な説明】
【技術分野】
【０００１】
本発明は、液晶表示装置等の表示手段を備えたデジタルカメラに関する。
【背景技術】
【０００２】
デジタルカメラにおいては、電子ファインダとして使用すると共に、撮影され記録媒体に記録された撮影画像を再生表示するために、液晶表示装置（ＬＣＤ）等の表示手段を備えているものが多い（例えば、特許文献１参照）。
【特許文献１】特開２００４−３１２５３６号公報
【発明の開示】
【発明が解決しようとする課題】
【０００３】
最近のデジタルカメラでは、小型化、薄型化が進む一方で、液晶の大画面化が進んでいるが、小型になったデジタルカメラ本体の背面に大きな液晶を配置させようとすると、各種操作キーのレイアウトが制限されてしまう。逆に言えば、必要な操作キーを配置するためのスペースが必要であるので、液晶のより一層の大画面化のためには、妨げとなってしまう。
【０００４】
また、デジタルカメラの付加価値を高めるために、更に機能を付加すること、例えば、撮影画像のレタッチや撮影画像に文字を挿入したりする編集作業を行えるようにすること等が望まれている。しかしながら、そのような編集作業を行うためには、現在用いられている操作キーだけでは不十分であり、更に多数の操作キーを含むキーボードを必要とする。それにもかかわらず、デジタルカメラには、装置の小型化が進められるが故に、そのようなキーボードを配置する場所が無いのが現状である。
【０００５】
本発明は上記のような実情に鑑みてなされたもので、その目的とするところは、表示画面の大画面化とキーボード操作使用による機能拡大とを同時に実現可能なデジタルカメラを提供することにある。
【課題を解決するための手段】
【０００６】
請求項１記載の発明は、本体背面に設けられた表示手段と、上記表示手段を覆うように開閉自在に設けられた蓋と、上記蓋の閉状態時に上記表示手段の表示画面の一部を観察可能なように、上記蓋に設けられた窓と、上記蓋の上記本体側の面に配されたキーボードと、上記蓋の開閉状態を検出する検出手段と、上記検出手段により上記蓋の開状態が検出された場合は上記表示手段の表示画面の全てを表示領域として表示制御し、上記検出手段により上記蓋の閉状態が検出された場合は上記蓋に設けられた窓の大きさに合わせて上記表示手段の表示画面における表示領域を表示制御する表示制御手段と、を具備することを特徴とする。
【０００７】
請求項２記載の発明は、上記請求項１記載の発明において、上記表示手段に表示する画像を編集する画像編集手段を更に具備し、上記キーボードには、上記画像編集手段での画像編集に使用するためのキーが配置されていることを特徴とする。
【０００８】
請求項３記載の発明は、上記請求項２記載の発明において、上記検出手段により上記蓋の開状態が検出された場合には、画像編集モードを自動設定して、上記画像編集手段及びキーボードによる画像編集を可能とするモード設定手段を更に具備することを特徴とする。
【０００９】
請求項４記載の発明は、上記請求項１記載の発明において、上記表示手段の表示画面に重ねて配されたタッチパネルを更に具備することを特徴とする。
【００１０】
請求項５記載の発明は、上記請求項１記載の発明において、上記蓋は、上記本体から着脱自在に構成され、上記本体とに対し無線接続する無線通信手段を内蔵することを特徴とする。
【００１１】
請求項６記載の発明は、上記請求項１記載の発明において、上記窓の大きさに合わせた表示領域を示す領域情報を記憶する記憶手段を更に具備し、上記表示制御手段は、上記記憶手段に記憶された領域情報に基づいて表示制御することを特徴とする。
【００１２】
請求項７記載の発明は、上記請求項１記載の発明において、上記蓋の上記キーボードが配された面とは反対側の面には、少なくとも撮影のためのモードキー、表示キー、及びメニューキーを含む、当該デジタルカメラの制御に必要なキーが設けられ、上記キーボードには、少なくとも画像編集に使用するためのキーが配置されていることを特徴とする。
【００１３】
請求項８記載の発明は、上記請求項１記載の発明において、上記表示手段は、画像を表示するための液晶表示装置と、該液晶表示装置を照明するためのバックライトとを含み、上記表示制御手段は、上記蓋の開閉状態に応じた表示領域に対応させて、上記バックライトの点灯領域を制御することを特徴とする。
【００１４】
請求項９記載の発明は、上記請求項１記載の発明において、上記表示手段の表示画面は、上記本体背面のほぼ全域にわたる大きさを有することを特徴とする。
【発明の効果】
【００１５】
請求項１記載の発明によれば、本体背面に配置した表示手段を覆う蓋を設け、蓋には、表示手段の表示画面の一部を見るための窓と、キーボードとを設け、蓋を開けた状態では表示画面の全面が表示領域になり、蓋を閉めた状態では窓から見える部分が表示領域になるように表示制御するようにしているので、表示画面の大画面化とキーボード操作使用による機能拡大とを同時に実現可能となる。
【００１６】
請求項２記載の発明によれば、上記請求項１記載の発明の効果に加えて、キーボードを用いて容易に画像編集作業を実施できる。
【００１７】
請求項３記載の発明によれば、上記請求項２記載の発明の効果に加えて、画像編集モードに切り替えるための操作を行う必要がない。
【００１８】
請求項４記載の発明によれば、上記請求項１記載の発明の効果に加えて、更に多数多様な操作が可能となる。
【００１９】
請求項５記載の発明によれば、上記請求項１記載の発明の効果に加えて、キーボードを手元に配置でき、操作する手や指で表示画面が遮られることがない。
【００２０】
請求項６記載の発明によれば、上記請求項１記載の発明の効果に加えて、検出機構を用意したり、複雑な領域演算動作を行うことなく、容易に表示制御することができる。
【００２１】
請求項７記載の発明によれば、上記請求項１記載の発明の効果に加えて、一般的なカメラとして使用するキーは蓋を開けることなく操作できる。
【００２２】
請求項８記載の発明によれば、上記請求項１記載の発明の効果に加えて、バックライトの点灯領域を制御することで、不必要な領域に対して照明されることがなく、省電力化に繋がる。
【００２３】
請求項９記載の発明によれば、上記請求項１記載の発明の効果に加えて、本体背面全域にわたった大きな表示画面を提供できる。
【発明を実施するための最良の形態】
【００２４】
［第１実施形態］
（第１実施形態の構成）
以下、本発明の第１実施形態に係るデジタルカメラについて図面を参照して説明する。
【００２５】
図１（Ａ）はこのデジタルカメラを前面から見た外観図、図１（Ｂ）は背面から見た外観図であり、図１（Ｃ）は側面から見た外観図である。
【００２６】
このデジタルカメラの本体１０の前面には撮影レンズ１１が配され、上面にシャッタ１２が配されている。また、上記レンズ１１の上方には、ストロボ１３が配されている。一方、背面には、図１（Ｃ）及び図１（Ｄ）に示すように本体１０に対して開閉自在な蓋１４が設けられている。この蓋１４には、撮影モード（ＲＥＣ）キー、再生モード（ＰＢ）キー、表示切り替え（ＤＩＳＰ）キー、メニュー（ＭＥＮＵ）キー、十字キー、等の当該デジタルカメラの制御に必要とされる基本キー１５が配置されている。
【００２７】
また、蓋１４には、開口として設けられた、或いは透明部材が組み込まれた窓１６が形成されており、該蓋１４を介して、液晶１７が見えるようになっている。即ち、上記蓋１４を開状態としたときに露出される本体背面のほぼ前面にわたって、図１（Ｅ）に示すように液晶１７が設けられており、上記蓋１４を閉状態としたときには、上記窓１６を介してこの液晶１７の一部が観察できるようになっている。
【００２８】
また、上記蓋１４の上記本体側の面（内面）には、図１（Ｄ）に示すように、例えば画像編集作業に使用されるような、多種多様な多数のキーを含むキーボード１８が設けられている。このキーボード１８は、図１（Ｆ）に示すように、上記窓１６を取り囲むように配置されている。
【００２９】
図２は、このデジタルカメラ内の電子回路の機能構成について示す図である。
【００３０】
基本モードである撮影モードでのモニタリング（スルー画像表示）状態においては、モータドライバ１９によるモータ２０の駆動により合焦位置や絞り位置が移動される、撮影レンズ１１を含むレンズブロック２１の撮影光軸後方に配置された撮像素子であるＣＣＤ２２が、タイミング発生器（ＴＧ）２３、垂直／水平ドライバ２４によって走査駆動され、一定周期毎に結像した光像に対応する光電変換出力を１画面分出力する。
【００３１】
この光電変換出力は、ＣＤＳ／ＡＤ回路２５において、アナログ値の信号の状態でＲＧＢの各原色成分毎に適宜ゲイン調整された後に、サンプルホールドされ、デジタルデータに変換され、その後、画像処理部２６で画素補間処理及びγ補正処理を含むカラープロセス処理が行なわれて、デジタル値の輝度信号Ｙ及び色差信号Ｃｂ，Ｃｒ（ＹＵＶ信号）が生成される。そして、それら生成された輝度及び色差信号は、内部バス２７を介して、バッファメモリとして使用されるＳＤＲＡＭ２８に書き込まれる。
【００３２】
なお、上記ＴＧ２３や画像処理部２６は、ＣＰＵ２９によって制御されるもので、このＣＰＵ２９で実行される動作プログラムや各種パラメータは、フラッシュメモリ３０に不揮発性に記憶されている。
【００３３】
また、上記画像処理部２６は、上記生成した輝度及び色差信号（ＹＵＶ信号）を元にビデオ信号（ＲＧＢ信号）を発生して、バックライト（ＢＬ）３１で照明され、上記液晶１７を含む液晶表示装置（ＬＣＤ）３２に供給する。このＬＣＤ３２は、画像の撮影モード時にはモニタ表示部（電子ファインダ）として機能するもので、上記画像処理部２６からのビデオ信号に基づいた表示を行なうことで、その時点で撮像素子である上記ＣＣＤ２２が取り込んでいる画像情報に基づく画像をリアルタイムに表示（スルー画像表示）することとなる。
【００３４】
このようにＬＣＤ３２にその時点での撮影可能なスルー画像がリアルタイムに表示されている状態で、静止画撮影を行ないたいタイミングで上記シャッタ１２を操作すると、トリガ信号がマイコン３３に与えられ、マイコン３３は、このトリガ信号に応じて、ＣＰＵ２９に、その時点でＣＣＤ２２から取り込んでいる１画面分の輝度及び色差信号のＳＤＲＡＭ２８への書き込みを取り止めさせ、あらためて適正な露出条件に従った絞り値及びシャッタ速度でＣＣＤ２２を走査駆動して１画面分の輝度及び色差信号を得てＳＤＲＡＭ２８へ書き込ませ、その後にこの経路を停止し、記録保存の状態に遷移させるようにする。
【００３５】
この記録保存の状態では、ＣＰＵ２９の制御により、画像処理部２６が内部バス２７を介して、ＳＤＲＡＭ２８に書き込まれている１フレーム分の輝度及び色差信号をＹ，Ｃｂ，Ｃｒの各コンポーネント毎に縦８画素×横８画素の基本ブロックと呼称される単位で読み出して、ＪＰＥＧデータに圧縮する。即ち、ＡＤＣＴ（適応離散コサイン変換）、エントロピ符号化方式であるハフマン符号化、等の処理により、データ圧縮する。そして、得られたＪＰＥＧデータを１撮影画像のデータファイルとして、内部バス２７を介して、このデジタルカメラの記録媒体として着脱自在に装着される外部メモリ３４に書き込む。この外部メモリ３４は、例えば、内部に不揮発性メモリであるフラッシュメモリを封入したカード状の媒体である。
【００３６】
そして、１フレーム分の輝度及び色差信号の圧縮処理と外部メモリ３４への全圧縮データ（ＪＰＥＧデータ）の書き込み終了に伴なって、ＣＰＵ２９は、上記ＣＣＤ２２からＳＤＲＡＭ２８への経路を再び起動する。
【００３７】
なお、上記ＫＥＹブロック３５のシャッタ１２操作に応じて適正な露出条件に従った絞り値及びシャッタ速度で撮影を行う場合、必要な光量が得られないときには、上記ＴＧ２３により、その撮影タイミングに同期した撮影補助光をストロボ１３に発生させる。
【００３８】
また、上記マイコン３３には、上記シャッタ１２に加えて、上記蓋１４に構成された上記基本キー１５から構成されたＫＥＹブロック３５と上記キーボード１８とが接続されている。更に、上記マイコン３３には、バッテリ３６と電源回路３７とが接続されている。バッテリ３６は、電池又は充電池であり、常時上記マイコン３３を動作させるための電力を供給する。電源回路３７は、上記ＫＥＹブロック３５の一部を構成する電源キー操作に応じたマイコン３３からの指示により、上記バッテリ３６の電力から当該デジタルカメラの各部の駆動に必要な各種電圧を生成して、各部に印加するものである。
【００３９】
また、このデジタルカメラは、マイクロホン（ＭＩＣ）３８とスピーカ（ＳＰ）３９を有しており、その制御のための音声チップ４０が上記ＣＰＵ２９に接続されている。即ち、本実施形態に係るデジタルカメラでは、上記通常の撮影モードとは別に、上記ＫＥＹブロック３５の撮影モード（ＲＥＣ）キーの操作により動画像の撮影も可能に構成されているものである。この動画像の撮影時においては、シャッタ１２が１回目に操作されてから、上述した静止画像データの外部メモリ３４への記録を時間的に連続して実行すると共に、上記ＭＩＣ３８で収集した音声を音声チップ４０により所定の圧縮方式で圧縮した音声データとして、上記外部メモリ３４へ記録していき、上記シャッタ１２の２回目の操作がなされるか、または所定の制限時間、例えば３０秒が経過した時点で、外部メモリ３４に記録されている一連の静止画データ及び音声データをモーションＪＰＥＧの動画データファイル（ＡＶＩファイル）として記録設定し直す。
【００４０】
一方、このデジタルカメラにおいては、ＫＥＹブロック３５の再生モード（ＰＢ）キーの操作により設定される再生モード時には、ＣＰＵ２９の制御により、内部バス２７を介して画像処理部２６が上記外部メモリ３４に記録されている撮影画像データを選択的に読み出して、上記撮影モード時にデータ圧縮した手順と全く逆の手順で圧縮されている画像データを伸長し、その伸長した画像データをＲＧＢ信号に変換して、ＬＣＤ３２に表示する。
【００４１】
なお、選択した撮影画像データが静止画像ではなく動画像であった場合には、選択した動画像データのファイルを構成する個々の静止画像データの再生を時間的に連続して実行すると共に、音声チップ４０により音声をＳＰ３９に再生出力していく。そして、すべての静止画像データの再生を終了した時点で、次に再生の指示がなされるまでその動画像データの先頭に位置する静止画像データのみを用いて再生表示する（このとき、音声は再生出力されない）。
【００４２】
また、本実施形態においては、上記マイコン３３には、上記蓋１４の開閉状態を検出するための検出スイッチ４１が接続されている。この検出スイッチ４１は、例えばフォトリフレクタやホール素子を利用して構成される。そして、マイコン３３は、この検出スイッチ４１による検出結果を上記ＣＰＵ２９に伝達し、ＣＰＵ２９は、上記蓋１４の開状態が検出された場合には、動作モードを自動的に画像編集モードに切り替え設定して、上記蓋１４のキーボード１８操作に従って、画像編集手段としても機能する画像処理部２６により画像編集を実行する。また、画像処理部２６に、上記蓋１４に設けられた窓１６の大きさに合わせた上記ＬＣＤ３２の液晶１７の表示領域を使用させるように制御する。これに対して、検出スイッチ４１により蓋１４の開状態が検出された場合には、液晶１７の全てを表示領域として使用させるように上記画像処理部２６を制御する。
【００４３】
図３は、上記画像処理部２６の構成を示す図である。即ち、上記画像処理部２６は、上述したようにして生成したスルー画像用のＹＵＶ輝度及び色差信号（ＹＵＶ信号）を、間引き回路４２によって適宜間引きして、ＳＤＲＡＭ２８の液晶表示用メモリとして使用するエリアに書き込む。そして、ＹＵＶ→ＲＧＢ変換回路４３により、このＳＤＲＡＭ２８に書き込まれたＹＵＶ信号をビデオ信号（ＲＧＢ信号）に変換して、ＬＣＤ３２の液晶表示ドライバ４４に供給することで、液晶１７に画像を表示する。
【００４４】
ここで、間引き回路４２は、液晶１７の全てを表示領域として使用するのか、蓋１４の窓１６の大きさに合わせた表示領域を使用するのかに応じて、ＣＰＵ２９の制御により、その間引くスキップ数を変更可能に構成されている。即ち、液晶１７の全てを表示領域として使用する場合には、液晶１７の解像度に合わせてＹＵＶ信号を間引き（機種によっては、この間引きの不要な場合もある）、蓋１４の窓１６の大きさに合わせた表示領域を使用する場合には、その窓の大きさに合わせてＹＵＶ信号を間引きすることが必要である。そのためのスキップ数や窓１６の大きさに合わせた表示領域を示す領域情報がフラッシュメモリ３０に記憶されており、ＣＰＵ２９はその情報に基づいて、該画像処理部２６を制御するようになっている。
【００４５】
また、フラッシュメモリ３０には白信号パターンが記憶されており、窓１６の大きさに合わせた表示領域を使用する場合には、ＣＰＵ２９の制御により、画像処理部２６は、この白信号パターンに基づいた白信号を発生して、ＳＤＲＡＭ２８の液晶表示用メモリとして使用するエリアの全てに白信号を書き込んだ後に、上記間引き回路４２で間引いて生成したＹＵＶ信号を、上記ＳＤＲＡＭ２８の上記窓１６の位置及び大きさに対応するエリア（アドレス）に上書きする。これは、液晶１７で画像を表示する場合、白を表示するのが最も電流消費が少ないという理由による。
【００４６】
なお、ＰＢモードにおいては、上記スルー画像用のＹＵＶ信号の代わりに、上述したように外部メモリ３４から読み出して伸長したＹＵＶ信号を、上記間引き回路４２に供給することになる。
【００４７】
（第１実施形態の動作）
次に、上記のような構成のデジタルカメラの動作について説明する。
【００４８】
図４（Ａ）は、ＫＥＹブロック３５のＲＥＣキーの操作によりＲＥＣモードに設定されている場合の動作フローチャートを示す図である。即ち、このＲＥＣモードにおいては、表示制御手段として機能するＣＰＵ２９は、まず、マイコン３３から与えられる検出スイッチ４１の検出結果により、蓋１４が閉状態にあるか否かを判別する（ステップＳ１１）。ここで、蓋１４が閉状態であれば、液晶１７の表示領域を窓１６の大きさに合わせる小画面表示を行うよう画像処理部２６を制御し（ステップＳ１２）、また、蓋１４が開状態であれば、液晶１７の表示領域を全面の大きさに合わせる全画面表示を行うよう画像処理部２６を制御して（ステップＳ１３）、液晶１７の表示領域にスルー画面を表示させる（ステップＳ１４）。
【００４９】
なお、ここでは、蓋１４の開閉状態により表示領域を変更するものとしたが、このＲＥＣモードでは、蓋１４は常に閉じた状態で使用するものとして、上記ステップＳ１１の判断及びステップＳ１３の全画面表示は行わないようにしても良い。
【００５０】
一方、ＫＥＹブロック３５のＰＢキーの操作によりＰＢモードに設定されている場合には、図４（Ｂ）に示すように、ＣＰＵ２９は、まず、マイコン３３から与えられる検出スイッチ４１の検出結果により、蓋１４が閉状態にあるか否かを判別する（ステップＳ２１）。ここで、蓋１４が閉状態であれば、液晶１７の表示領域を窓１６の大きさに合わせる小画面表示を行うよう画像処理部２６を制御して（ステップＳ２２）、液晶１７の表示領域に再生画面を表示させる（ステップＳ２３）。
【００５１】
これに対して、蓋１４が開状態であれば、液晶１７の表示領域を全面の大きさに合わせる全画面表示を行うよう画像処理部２６を制御すると共に（ステップＳ２４）、画像編集モードを設定して（ステップＳ２５）、液晶１７の表示領域に再生画面を表示させる（ステップＳ２３）。従って、この場合には、このＰＢモードを終了して自動的に画像編集モードに移行し、再生画像に対するキーボード１８を使用した画像編集を行うことが可能になる。
【００５２】
図５（Ａ）は、全画面表示の動作フローチャートを示す図である。なおここでは、スルー画像の表示の場合を例に説明するが、外部メモリ３４から読み出した再生画像の場合も同様にして処理される。
【００５３】
即ち、ＣＰＵ２９は、まず、画像処理部２６に、スルー画面データ一枚分のＹＵＶ信号を、間引き回路４２を介してＳＤＲＡＭ２８の液晶表示用メモリとしての領域に書き込ませる（ステップＳ３１）。そして、この書き込まれたＹＵＶ信号を、液晶表示ドライバ４４に合わせるためにＹＵＶ→ＲＧＢ変換回路４３でＲＧＢ信号に変換させて（ステップＳ３２）、液晶表示ドライバ４４に送信させるように（ステップＳ３３）、画像処理部２６を制御する。これにより、図６に示すように、液晶１７の全画面を表示領域として、画像が表示される（ステップＳ３４）。
【００５４】
図５（Ｂ）は、小画面表示の動作フローチャートを示す図である。なおここでは、スルー画像の表示の場合を例に説明するが、外部メモリ３４から読み出した再生画像の場合も同様にして処理される。
【００５５】
即ち、ＣＰＵ２９は、まず、画像処理部２６に、ＳＤＲＡＭ２８の液晶表示用メモリとしての領域にスルー画面データ一枚分のＹＵＶ信号として白信号（８ビットデータとして示せば、Ｙ＝２５５，Ｕ＝Ｖ＝０）を書き込む（ステップＳ４１）。そして、スルー画面データ一枚分のＹＵＶ信号を、間引き回路４２により間引きしてサイズを小さくさせ（ステップＳ４２）、その小さいスルー画面データ一枚分のＹＵＶ信号を、ＳＤＲＡＭ２８の液晶表示用メモリとしての領域のうち、窓１６に相当するアドレスに上書きさせるように（ステップＳ４３）、画像処理部２６を制御する。その後、画像処理部２６に、この書き込まれたＹＵＶ信号を、液晶表示ドライバ４４に合わせるためにＹＵＶ→ＲＧＢ変換回路４３でＲＧＢ信号に変換させて（ステップＳ４４）、液晶表示ドライバ４４に送信させることで（ステップＳ４５）、図７（Ａ）に示すように、液晶１７の上記窓１６に相当する部分に縮小画像が表示される（ステップＳ４６）。この縮小画像が、図７（Ｂ）に示すように、蓋１４に設けられた窓１６を介して観察されることになる。
【００５６】
以上説明したように、本発明の第１実施形態に係るデジタルカメラでは、本体１０背面に配置した液晶１７を覆う蓋１４を設け、蓋１４には、液晶１７の表示画面の一部を見るための窓１６と、キーボード１８とを設け、蓋１４を開けた状態では表示画面の全面が表示領域になり、蓋１４を閉めた状態では窓から見える部分が表示領域になるように表示制御するようにしているので、表示画面の大画面化とキーボード操作使用による機能拡大とを同時に実現可能となる。
【００５７】
（第１実施形態の変形例１）
大画面の液晶１７の表示画面にタッチパネル（図示せず）を重ねて設けるようにしても良い。そのような構成とすることで、より多機能に対応し、また操作性を高めることができる。
【００５８】
（第１実施形態の変形例２）
キーボード１８が設けられた蓋１４を、本体１０から取り外し可能に構成し、本体１０とは無線通信部４５（図２を参照）によりワイヤレス接続するようにしても良い。そのような構成とすることで、キーボード１８を手元に配置でき、操作する手や指で液晶１７の表示画面が遮られることがない。
【００５９】
［第２実施形態］
上記第１実施形態では、蓋１４の開閉に応じて液晶１７の表示領域を制御する用にしたが、本実施形態は、バックライト（ＢＬ）３１も併せて点灯制御するようにしたものである。
【００６０】
（第２実施形態の構成）
本実施形態においては、図２に示すように、ＢＬ３１が画像処理部２６により点灯制御される構成となっている。
【００６１】
ここで、ＢＬ３１は、図８に示すように、白色発光するＷ−ＬＥＤ４６を、所定の間隔を置いて複数個（図の例では４個）配置し、それらＷ−ＬＥＤ４６からの光を導光板４７により液晶１７の全面に導光する構成となっている。
【００６２】
（第２実施形態の動作）
本実施形態においても、上記第１実施形態と同様に、蓋１４の開閉状態に応じて液晶１７の表示領域を制御する。
【００６３】
図９（Ａ）は、本実施形態における全画面表示の動作フローチャートを示す図である。なおここでは、スルー画像の表示の場合を例に説明するが、外部メモリ３４から読み出した再生画像の場合も同様にして処理される。
【００６４】
即ち、ＣＰＵ２９は、まず、画像処理部２６に、スルー画面データ一枚分のＹＵＶ信号を、間引き回路４２を介してＳＤＲＡＭ２８の液晶表示用メモリとしての領域に書き込ませる（ステップＳ３１）。そして、この書き込まれたＹＵＶ信号を、液晶表示ドライバ４４に合わせるためにＹＵＶ→ＲＧＢ変換回路４３でＲＧＢ信号に変換させて（ステップＳ３２）、液晶表示ドライバ４４に送信させるように（ステップＳ３３）、画像処理部２６を制御する。これにより、図６に示すように、液晶１７の全画面を表示領域として、画像が表示される（ステップＳ３４）。またこのとき、ＣＰＵ２９は、画像処理部２６に、ＢＬ３１を通常モードとして、全てのＷ−ＬＥＤ４６を点灯させるよう制御する（ステップＳ３５）。
【００６５】
図９（Ｂ）は、小画面表示の動作フローチャートを示す図である。なおここでは、スルー画像の表示の場合を例に説明するが、外部メモリ３４から読み出した再生画像の場合も同様にして処理される。
【００６６】
即ち、ＣＰＵ２９は、まず、画像処理部２６に、ＳＤＲＡＭ２８の液晶表示用メモリとしての領域にスルー画面データ一枚分のＹＵＶ信号として白信号（８ビットデータとして示せば、Ｙ＝２５５，Ｕ＝Ｖ＝０）を書き込む（ステップＳ４１）。そして、スルー画面データ一枚分のＹＵＶ信号を、間引き回路４２により間引きしてサイズを小さくさせ（ステップＳ４２）、その小さいスルー画面データ一枚分のＹＵＶ信号を、ＳＤＲＡＭ２８の液晶表示用メモリとしての領域のうち、窓１６に相当するアドレスに上書きさせるように（ステップＳ４３）、画像処理部２６を制御する。その後、画像処理部２６に、この書き込まれたＹＵＶ信号を、液晶表示ドライバ４４に合わせるためにＹＵＶ→ＲＧＢ変換回路４３でＲＧＢ信号に変換させて（ステップＳ４４）、液晶表示ドライバ４４に送信させることで（ステップＳ４５）、図７（Ａ）に示すように、液晶１７の上記窓１６に相当する部分に縮小画像が表示される（ステップＳ４６）。またこのとき、ＣＰＵ２９は、画像処理部２６に、ＢＬ３１を省電力モードとして、少なくとも上記窓１６に対応する部分を照明するよう、所定のＷ−ＬＥＤ４６（図８の例では、１番目と２番目のＬＥＤ）を点灯させるよう制御する（ステップＳ４７）。こうして、縮小画像が、図７（Ｂ）に示すように、蓋１４に設けられた窓１６を介して観察可能となる。
【００６７】
以上説明したように、本発明の第２実施形態に係るデジタルカメラによれば、表示領域に合わせてＢＬ３１の点灯領域を制御するようにしているので、不必要な領域に対して照明されることがなく、省電力化に繋がる。
【００６８】
（第２実施形態の変形例）
本第２実施形態においても、上記第１実施形態と同様、液晶１７にタッチパネル（図示せず）を被せても良いし、キーボード１８が設けられた蓋１４を本体１０から取り外し可能に構成しても良い。
【００６９】
以上、実施形態を説明したが、本発明は上記実施形態に限らず、その要旨を逸脱しない範囲内で種々変形して実施することが可能であるものとする。
【００７０】
さらに、上記実施形態には種々の段階の発明が含まれており、開示される複数の構成要件における適宜な組み合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７１】
【図１】図１（Ａ）は、本発明の第１実施形態に係るデジタルカメラを前面から見た外観図である。              図１（Ｂ）は、背面から見た外観図である。              図１（Ｃ）は、蓋を閉じた状態を側面から見た外観図である。              図１（Ｄ）は、蓋を閉じた状態を側面から見た外観図である。              図１（Ｅ）は、液晶の配置を示す図である。              図１（Ｆ）は、蓋の窓とキーボードの関係を示す図である。
【図２】図２は、第１実施形態に係るデジタルカメラ内の電子回路の機能構成について示す図である。
【図３】図３は、画像処理部の構成を示す図である。
【図４】図４（Ａ）は、ＲＥＣモードの場合の動作フローチャートを示す図である。              図４（Ｂ）は、ＰＢモードの場合の動作フローチャートを示す図である。
【図５】図５（Ａ）は、全画面表示の動作フローチャートを示す図である。              図５（Ｂ）は、小画面表示の動作フローチャートを示す図である。
【図６】図６は、全画面表示の表示例を示す図である。
【図７】図７（Ａ）は、小画面表示の表示例を示す図である。              図７（Ｂ）は、蓋の窓を介して小画面表示が観察される状態を示す図である。
【図８】図８は、本発明の第２実施形態に係るデジタルカメラにおけるバックライトの構成を示す図である。
【図９】図９（Ａ）は、第２実施形態における全画面表示の動作フローチャートを示す図である。              図９（Ｂ）は、第２実施形態における小画面表示の動作フローチャートを示す図である。
【符号の説明】
【００７２】
１０…本体、  １１…レンズ、  １２…シャッタ、  １３…ストロボ、  １４…蓋、  １５…基本キー、  １６…窓、  １７…液晶、  １８…キーボード、  １９…モータドライバ、  ２０…モータ、  ２１…レンズブロック、  ２２…ＣＣＤ、  ２３…タイミング発生器（ＴＧ）、  ２４…垂直／水平ドライバ、  ２５…ＣＤＳ／ＡＤ回路、  ２６…画像処理部、  ２７…内部バス、  ２８…ＳＤＲＡＭ、  ２９…ＣＰＵ、  ３０…フラッシュメモリ、  ３１…バックライト（ＢＬ）、  ３２…液晶表示装置（ＬＣＤ）、  ３３…マイコン、  ３４…外部メモリ、  ３５…ＫＥＹブロック、  ３６…バッテリ、  ３７…電源回路、  ３８…マイクロホン（ＭＩＣ）、  ３９…スピーカ（ＳＰ）、  ４０…音声チップ、  ４１…検出スイッチ、  ４２…間引き回路、  ４３…ＹＵＶ→ＲＧＢ変換回路、  ４４…液晶表示ドライバ、  ４５…無線通信部、  ４６…Ｗ−ＬＥＤ、  ４７…導光板。
【図１】
2006186607.tif 000003
【図２】
2006186607.tif 000004
【図３】
2006186607.tif 000005
【図４】
2006186607.tif 000006
【図５】
2006186607.tif 000007
【図６】
2006186607.tif 000008
【図７】
2006186607.tif 000009
【図８】
2006186607.tif 000010
【図９】
2006186607.tif 000011